(57)【要約】      （修正有）【課題】インターネットを利用したオンラインショッピングにおいて、複数の料亭、料理店、料理工場、旅館、ホテル等の店および工場の制作する複数のおせち料理メニューをおせち料理販売会社が顧客に対して提供及び販売できるよう顧客に購入されたおせち料理は、店または工場から直接顧客に送るようにする。【解決手段】おせち料理を制作する複数の店および工場のおせち料理のメニューを、おせち料理を販売する会社のサーバーに取り込み、顧客に対して複数のおせち料理のメニューの中から選び注文及び代金決済できるシステムを構築し、顧客がおせち料理販売会社へおせち料理を注文した場合、おせち料理販売会社に注文情報、顧客情報、代金決済情報を受け、さらにおせち料理制作店および工場に注文情報と顧客情報が送信されるように構築し、注文情報と顧客情報を基におせち料理制作店または工場から顧客におせち料理を送る。【選択図】図１
2007287115.tif 000002
【特許請求の範囲】
【請求項１】
インターネットを介して顧客に、おせち料理のメニュー情報を提供し、おせち料理を販売するシステムにおいて、ここでまず、おせち料理の説明をしておく、本来おせちとは正月・五節句などに使う料理をさすが、ここでいうおせち料理は正月・五節句に限らずお祝いの席で食する重箱や箱等の容器に各種料理を詰め合わせたものをおせち料理という。おせち料理のメニュー制作とおせち料理の制作を複数の料亭、料理店、料理工場、旅館、ホテル等の店および工場でおこない、おせち料理を制作する複数の店および工場のおせち料理のメニューを、おせち料理を販売する会社のサーバーに取り込み、顧客に対して複数のおせち料理のメニューの中から選び注文及び代金決済できるシステムを構築し、顧客がおせち料理販売会社へおせち料理を注文した場合、おせち料理販売会社に注文情報、顧客情報、代金決済情報を受け、さらにおせち料理制作店および工場に注文情報と顧客情報が送信されるように構築し、注文情報と顧客情報を基におせち料理制作店または工場から顧客におせち料理を送ることを特長とする、おせち料理のオンラインショッピングシステム。
【請求項２】
複数のおせち料理制作店および工場のおせち料理メニューをおせち料理販売会社のサーバーに取り込みおせち料理のメニューの提供と販売、代金決済をできるように構築し、顧客が複数の店および工場のおせち料理を購入した場合、おせち料理販売販売会社の一社への代金決済で複数のおせち料理を購入できることを特長とする請求項１のオンラインショッピングシステム。
【請求項３】
前記おせち料理販売会社に顧客よりのおせち料理の注文情報と顧客情報、決済情報を受けた場合、さらにおせち料理制作店および工場のＰＣに対して受注情報と顧客情報が送信され、ＰＣに接続したプリンターに顧客情報を運送会社の送り状にプリントアウトできるようにしたことを特長とする請求項１のオンラインショッピングシステム。
【発明の詳細な説明】
【発明の詳細な説明】
【技術分野】
【０００１】おせち料理のオンラインショッピングシステムにおいて、顧客に対して複数の料亭、料理店、料理工場、旅館、ホテル等の店および工場において制作するおせちメニューを提供及び販売するシステムに関するものである。
【背景技術】
【０００２】インターネットショッピングにおいて食料品の小売店、百貨店及びショッピングモール運営サイト等において、おせち料理のインターネットショッピングをおこなっている。【０００３】ショッピングモール運営サイトにおいては、複数のおせち料理制作店舗のおせち料理を集め紹介し販売している。
【発明が解決しようとする課題】
【０００４】本発明は、インターネットを介して顧客に、おせち料理のメニュー情報を提供し、おせち料理を販売するシステムにおいて、おせち料理の制作を複数の料亭、料理店、料理工場、旅館、ホテル等の店および工場でおこない、おせち料理を制作する複数の店および工場のおせち料理のメニューを、おせち料理を販売する会社のサーバーに取り込み顧客に対して、従来の技術は小売店等のおせち販売はメニューの種類が少なく選択しが少ないが、複数のおせち料理のメニューの中から選び注文及び代金決済できるシステムを構築し、顧客がおせち料理販売会社へおせち料理を注文した場合、おせち料理販売会社に注文情報、顧客情報、代金決済情報を受け、さらにおせち料理制作店および工場に注文情報と顧客情報が送信されるように構築し、注文情報と顧客情報を基におせち料理制作店または工場から顧客におせち料理を送ることができるようにするものである。
【０００５】本発明は、おせち料理制作店および工場のおせち料理メニューをおせち料理販売会社のサーバーに取り込みおせち料理のメニューの提供と販売、代金決済をできるように構築し、顧客が複数の店または工場のおせち料理を購入した場合、従来の技術は複数のメニューを集め販売しているショッピングモール等においては、複数の店および工場からおせちを購入した場合、各店に対して決済をおこなう必要があるが、おせち料理販売販売会社の一社への代金決済で複数のおせち料理を購入でき情報入力負担を減少させ購買行為を簡略させるものである。
【０００６】本発明は、おせち料理販売会社に顧客よりのおせち料理の注文情報と顧客情報、決済情報を受けた場合、さらにおせち料理制作店および工場のＰＣに対して受注情報と顧客情報が送信され、ＰＣに接続したプリンターに顧客情報を運送会社の送り状にプリントアウトできるようにし労働負担を増やすことなく売り上げの拡大を図るものである。
【課題を解決するための手段】
【０００７】前記課題の目的を達成するために、インターネットを介して顧客に、おせち料理のメニュー情報を提供し、おせち料理を販売するシステムにおいて、おせち料理の制作を複数の料亭、料理店、料理工場、旅館、ホテル等の店および工場でおこない、おせち料理を制作する複数の店または工場のおせち料理のメニューを、おせち料理を販売する会社のサーバーに取り込み、顧客に対して複数のおせち料理のメニューの中から選び注文及び代金決済できるシステムを構築し、顧客がおせち料理販売会社へおせち料理を注文した場合、おせち料理販売会社に注文情報、顧客情報、代金決済情報を受け、さらにおせち料理制作店および工場に注文情報と顧客情報が送信されるように構築し、注文情報と顧客情報を基におせち料理制作店または工場から顧客におせち料理を送ることができるようにする。
【０００８】また、おせち料理制作店舗のおせち料理メニューをおせち料理販売会社のサーバーに取り込みおせち料理のメニューの提供と販売、代金決済をできるように構築し、顧客が複数の店および工場のおせち料理を購入した場合、おせち料理販売販売会社の一社への代金決済で複数のおせち料理を購入できるように構築する。
【０００９】さらに、運送会社の送り状作成ＤＢを、おせち料理販売会社とおせち料理制作店および工場が共有し、おせち料理販売会社に顧客よりのおせち料理の注文情報と顧客情報、決済情報を受けた場合、おせち料理制作店および工場のＰＣに接続した運送会社の送り状作成ＤＢに受注情報と顧客情報が送信され、ＰＣに接続したプリンターに運送会社の送り状に顧客情報をプリントアウトできるようにする。
【発明を実施するための最良の形態】
【００１０】以下図面を参照して、本発明のおせち料理のオンラインショッピングシステムについて説明する。
図１は、本発明のおせち料理のオンラインショッピングシステムの概要説明図、図２は、本発明のおせち料理のオンラインショッピングシステムに使用される機器構成図である。【００１１】図１を参照して本発明の、おせち料理のオンラインショッピングシステムの概要について説明する。
顧客のネット端末１とおせち料理販売会社のサーバー（以下販売会社のサーバーという。）２とおせち制作店および工場のＰＣ（以下店のＰＣという。）の三者がインターネットで接続されている。販売会社のサーバーには商品情報、受注・発注情報、代金決済システムが構築されており、顧客に対して常に商品情報を発し受注体制を整えている。【００１２】また、販売会社のサーバーは顧客からの注文に対して店のＰＣへ受注情報と、店のＰＣに接続したプリンター３へ顧客情報を自動プリントアウトできるように構築している。【００１３】図１において販売会社のサーバーには複数のおせち料理制作店および工場のメニュー情報を取り込んであり、顧客は顧客のネット端末により販売会社のサーバーに接続し、おせちメニューの中から気に入ったものを商品情報、顧客情報を入力し、販売会社の代金決済システムにおいて代金を決済する。顧客が代金決済を終了することで、販売会社のサーバーと店のＰＣに運送会社の送り状ＤＢに受注情報が送信され、さらに店のＰＣに接続されているプリンターに納入先の顧客情報がプリントアウトする。【００１４】顧客が複数の店および工場の商品を選んだ場合の決済は、販売会社のサーバーにて一括決済できるように販売会社のサーバーに代金決済システムを構築する。【００１５】図２は、本発明のおせち料理のオンラインショッピングシステムに必要な機器構成の一実施例の形態について表示している。
ネット上に顧客のネット端末１、販売会社サーバー２、店のＰＣ３が接続されている。おせち料理を制作する複数の店および工場のおせち料理のメニューを、おせち料理を販売する会社のサーバー２に取り込んであり、さらに顧客に対して複数のおせち料理のメニューの中から選び注文及び代金決済できるシステムを構築してあり、顧客がおせち料理販売会社へおせち料理を注文した場合、おせち料理販売会社サーバー２に注文情報、顧客情報、代金決済情報を受け、さらに店のＰＣ３に注文情報と顧客情報が送信される。注文情報と顧客情報を基に店または工場から顧客におせち料理を送る。
【図面の簡単な説明】
【図１】本発明の食料品のオンラインショッピングシステムの概要説明図
【図２】本発明の食料品のオンラインショッピングシステムに使用されるシステム機器構成図
【符号の説明】
１  顧客のネット端末
２  販売会社サーバー
３  店のＰＣ
４  運送会社送り状作成ＤＢ
５  プリンター
【図１】
2007287115.tif 000003
【図２】
2007287115.tif 000004